(57)【要約】【課題】以前に貼付されたタグの上に新たなタグを上貼りした場合でもタグ同士の相互干渉を抑制することができるＲＦＩＤシステム及びＲＦＩＤタグの上貼り方法の提供。【解決手段】物品に予め貼付されたタグ（無効化するタグ２ａ）の上にそのまま新たなタグ（上貼りするタグ）を貼付するのではなく、無効化するタグ２ａの共振回路４を構成する配線の少なくとも一箇所を切断することにより、双方のタグのコイル４ａの磁束が鎖交することにより生じるインダクタンスの変動や、コイル同士の重畳による寄生容量に起因するインダクタンスの変動を抑制し、両タグの相互干渉を抑制する。また、双方のタグの間にスペーサを介在させたり、双方のタグのコイル４ａが完全に重ならないように配置したり、少なくとも一方のタグのコイル４ａ内側に磁束を遮断するシートを介在させることにより、更に相互干渉を抑制する。【選択図】図３
2004348675.tif 000002
【特許請求の範囲】
【請求項１】
基材上の配線により構成されたコイルと単体として形成又はＩＣに内蔵されたコンデンサとからなる共振回路を含むタグと、リーダ又はリーダ／ライタとを用いて非接触でデータの通信を行うＲＦＩＤシステムにおいて、
物品に予め貼付され、その共振回路を構成する前記配線の少なくとも一箇所が切断された第１のタグの上に第２のタグが貼付され、前記第１のタグと前記第２のタグとの相互干渉が抑制された状態で、前記第２のタグと前記リーダ又はリーダ／ライタとの間でデータの交信が行われることを特徴とするＲＦＩＤシステム。
【請求項２】
前記第１のタグの切断箇所は、前記コイルと前記コンデンサとの接続部分を含むことを特徴とする請求項１記載のＲＦＩＤシステム。
【請求項３】
前記第１のタグの切断箇所は、前記コイルの巻回部分を含むことを特徴とする請求項１又は２に記載のＲＦＩＤシステム。
【請求項４】
前記第１のタグと前記第２のタグとの間にスペーサが配設され、該スペーサにより前記第１のタグと前記第２のタグとの間の寄生容量が低減され、相互干渉が抑制されることを特徴とする請求項１乃至３のいずれか一に記載のＲＦＩＤシステム。
【請求項５】
前記コイルの軸方向から見て、少なくとも前記第１のタグ及び前記第２のタグの前記コイルが一致しないように、前記第２のタグの貼付位置が設定されることを特徴とする請求項１乃至４のいずれか一に記載のＲＦＩＤシステム。
【請求項６】
前記第２のタグは、前記第１のタグに対して１８０度回転した状態で貼付されることを特徴とする請求項５記載のＲＦＩＤシステム。
【請求項７】
前記第１のタグ又は前記第２のタグの少なくとも一方の前記コイル内側領域に、磁束を遮断する部材で構成されたシートが配設されていることを特徴とする請求項１乃至６のいずれか一に記載のＲＦＩＤシステム。
【請求項８】
前記物品は書籍であり、前記タグはラベル型タグであることを特徴とする請求項１乃至７のいずれか一に記載のＲＦＩＤシステム。
【請求項９】
基材上の配線により構成されたコイルと単体として形成又はＩＣに内蔵されたコンデンサとからなる共振回路を含むタグと、リーダ又はリーダ／ライタとを用いて非接触でデータの通信を行うＲＦＩＤシステムにおけるタグの上貼り方法であって、
物品に予め貼付されている第１のタグの共振回路を構成する前記配線の少なくとも一箇所を切断した後、前記第１のタグの上に第２のタグを貼付することを特徴とするＲＦＩＤタグの上貼り方法。
【請求項１０】
前記第１のタグの切断箇所は、前記コイルと前記コンデンサとの接続部分を含むことを特徴とする請求項９記載のＲＦＩＤタグの上貼り方法。
【請求項１１】
前記第１のタグの切断箇所は、前記コイルの巻回部分を含むことを特徴とする請求項９又は１０に記載のＲＦＩＤタグの上貼り方法。
【請求項１２】
前記第１のタグと前記第２のタグとの間にスペーサを配設し、該スペーサにより前記第１のタグと前記第２のタグとの間の寄生容量を低減し、相互干渉を抑制することを特徴とする請求項９乃至１１のいずれか一に記載のＲＦＩＤタグの上貼り方法。
【請求項１３】
前記コイルの軸方向から見て、少なくとも前記第１のタグ及び前記第２のタグの前記コイルが一致しないように、前記第２のタグの貼付位置を設定することを特徴とする請求項９乃至１２のいずれか一に記載のＲＦＩＤタグの上貼り方法。
【請求項１４】
前記第２のタグを、前記第１のタグに対して１８０度回転した状態で貼付することを特徴とする請求項１３記載のＲＦＩＤタグの上貼り方法。
【請求項１５】
前記第１のタグ又は前記第２のタグの少なくとも一方の前記コイル内側領域に、磁束を遮断する部材で構成されたシートを配設することを特徴とする請求項９乃至１４のいずれか一に記載のＲＦＩＤタグの上貼り方法。
【請求項１６】
前記物品は書籍であり、前記タグはラベル型タグであることを特徴とする請求項９乃至１５のいずれか一に記載のＲＦＩＤタグの上貼り方法。
【発明の詳細な説明】
【０００１】
【発明の属する技術分野】
本発明は、ＲＦＩＤ（Ｒａｄｉｏ  Ｆｒｅｑｕｅｎｃｙ  Ｉｄｅｎｔｉｆｉｃａｔｉｏｎ）システム及びＲＦＩＤタグの上貼り方法に関し、特に、書籍にタグを貼付して管理するＲＦＩＤシステム及びＲＦＩＤタグの上貼り方法に関する。
【０００２】
【従来の技術】
近年、ＩＣチップを備えたタグとリーダ／ライタとの間でデータの交信を行うＲＦＩＤシステムが普及している。このＲＦＩＤシステムは、タグ及びリーダ／ライタの各々に備えたアンテナを用いてデータの交信を行うため、タグをリーダ／ライタから数ｃｍ乃至数十ｃｍ離しても通信可能であり、また、汚れや静電気等に強いという長所から、工場の生産管理、物流の管理、入退室管理等の様々な分野に利用されるようになってきている。
【０００３】
このＲＦＩＤシステムは、電磁的方法によってデータの交信を行うため、磁束を通過する材料で構成された物品に貼付する場合は、タグを物品の内部に取り付けたり、タグを取り付けた物品を重ねて配列した状態でも使用できることから図書館における書籍等の管理等にも利用することができる。例えば、特開平１０−２７５１８３号公報には、図書の表紙、裏表紙あるいは図書の中に綴じられたページのいずれかに取り付けられたＲＦＩＤ図書ラベルと、ＲＦＩＤ図書ラベルのデータを非接触で読み取るＲＦＩＤ読み取り装置とを備える図書館システムが開示されている。
【０００４】
【特許文献１】
特開平１０−２７５１８３号公報（第４−７頁、第１図）
【０００５】
【発明が解決しようとする課題】
上記ＲＦＩＤシステムでは、タグはコイルとコンデンサとにより構成される共振回路の共振周波数がリーダ／ライタの搬送波と一致するように設定されており、タグを該周波数で共振させて内部に記憶された情報を読み取ることによってタグが識別されるが、何らかの理由でタグに記憶された情報を変更する場合やタグが故障した場合にはタグを交換する必要がある。
【０００６】
この場合、以前に貼付されたタグを剥がしてから新たなタグを貼り付ける方法が一般的であるが、通常、タグは物品から容易に脱離しないように接着剤や粘着性材料によって物品に固定されているため、タグを物品から剥がすのは容易ではなく、タグの交換に時間がかかってしまう。特に、タグを貼付する物品が書籍のような紙を材料として形成される物品の場合、タグを剥がすとタグを貼付した部分の紙まで剥がれてしまい、書籍の価値を著しく損なってしまったり、場合によっては書籍を破損してしまうという問題もある。
【０００７】
そこで、以前に貼付されたタグを剥がすことにより生じる上記問題を回避するために、タグを剥がすことなく新たなタグを貼付する方法も考えられるが、この場合、新たなタグを上貼りすると以前に貼付されたタグと新たに貼付したタグ同士が相互に干渉して共振周波数が大きくシフトしてしまい、その結果、通信距離が大幅に低下してしまうという問題が生じる。
【０００８】
本発明は、上記問題点に鑑みてなされたものであって、その主たる目的は、以前に貼付されたタグの上に新たなタグを上貼りした場合でもタグ同士の相互干渉を抑制することができるＲＦＩＤシステム及びＲＦＩＤタグの上貼り方法を提供することにある。
【０００９】
【課題を解決するための手段】
上記目的を達成するため、本発明のＲＦＩＤシステムは、基材上の配線により構成されたコイルと単体として形成又はＩＣに内蔵されたコンデンサとからなる共振回路を含むタグと、リーダ又はリーダ／ライタとを用いて非接触でデータの通信を行うＲＦＩＤシステムにおいて、物品に予め貼付され、その共振回路を構成する前記配線の少なくとも一箇所が切断された第１のタグの上に第２のタグが貼付され、前記第１のタグと前記第２のタグとの相互干渉が抑制された状態で、前記第２のタグと前記リーダ又はリーダ／ライタとの間でデータの交信が行われるものであり、前記第１のタグの切断箇所は、前記コイルと前記コンデンサとの接続部分又は前記コイルの巻回部分を含むことが好ましい。
【００１０】
本発明においては、前記第１のタグと前記第２のタグとの間にスペーサが配設され、該スペーサにより前記第１のタグと前記第２のタグとの間の寄生容量が低減され、相互干渉が抑制される構成とすることができる。
【００１１】
また、本発明においては、前記コイルの軸方向から見て、少なくとも前記第１のタグ及び前記第２のタグの前記コイルが一致しないように、前記第２のタグの貼付位置が設定される構成とすることができ、前記第２のタグは、前記第１のタグに対して１８０度回転した状態で貼付される構成とすることもできる。
【００１２】
また、本発明においては、前記第１のタグ又は前記第２のタグの少なくとも一方の前記コイル内側領域に、磁束を遮断する部材で構成されたシートが配設されている構成とすることもできる。
【００１３】
また、本発明においては、前記物品は書籍であり、前記タグはラベル型タグとすることができる。
【００１４】
また、本発明は、基材上の配線により構成されたコイルと単体として形成又はＩＣに内蔵されたコンデンサとからなる共振回路を含むタグと、リーダ又はリーダ／ライタとを用いて非接触でデータの通信を行うＲＦＩＤシステムにおけるタグの上貼り方法であって、物品に予め貼付されている第１のタグの共振回路を構成する前記配線の少なくとも一箇所を切断した後、前記第１のタグの上に第２のタグを貼付するものである。
【００１５】
このように、本発明は、物品に予め貼付された第１のタグの上にそのまま新たな第２のタグを貼付するのではなく、第１のタグの共振回路を構成する配線の少なくとも一箇所を切断することにより、第１のタグ及び第２のタグのコイルの磁束が鎖交することにより生じるインダクタンスの変動や、コイル同士の重畳による寄生容量に起因するインダクタンスの変動を抑制することができ、これにより第２のタグを用いてデータの交信を行うことができる。また、第１のタグと第２のタグとの間にスペーサを介在させたり、第１のタグと第２のタグのコイルが完全に重ならないように配置したり、第１のタグ又は第２のタグの少なくとも一方のコイル内側に磁束を遮断するシートを介在させることにより、更に第１のタグと第２のタグの相互干渉を抑制することができる。
【００１６】
【発明の実施の形態】
従来技術で示したように、ＲＦＩＤシステムは各種物品の管理に利用されているが、ＲＦＩＤ用タグを交換する必要が生じた場合、以前に貼付したタグを剥がしてから新たなタグを貼付する方法では、通常タグは容易に脱離しないように接着剤や粘着性部材で物品に固定されているため、容易にタグを剥がすことができず、タグを貼付する物品が紙で構成される書籍等の場合には書籍を破損してしまうという問題があった。この問題を回避するために以前に貼付したタグの上に新たなタグを貼付する方法も考えられるが、この場合、両方のタグが相互に干渉してタグの共振周波数がシフトしてしまい、通信距離が低下してしまうという問題があった。
【００１７】
そこで、本発明では、予め貼付されたタグを剥がさずに無効化（存在しないものと）し、その上に新たなタグを上貼りすることにより、共振周波数のシフトを抑制し、上貼りしても通信距離を低下させず、直貼りした場合と同程度の通信距離を確保できるようにしている。この無効化の方法としては、予め貼付されたタグの共振回路を構成する配線の少なくとも一箇所を切断し、必要に応じて、予め貼付されたタグと新たに貼付するタグとの間にスペーサを介在させて両タグの間隔を大きくしたり、各々のタグのコイルが重ならないように新たに貼付するタグの貼付領域を設定したり、少なくとも一方のタグのコイル内側に磁束を遮断するシートを介在させるという方法を用いる。これにより、特に書籍等の物品にタグを貼付するシステムにおいて、書籍を損傷することなく、簡便かつ確実にＲＦＩＤタグの取り付けが可能となるという効果が得られる。
【００１８】
【実施例】
上記した本発明の実施の形態についてさらに詳細に説明すべく、本発明の実施例に係るＲＦＩＤシステム及びＲＦＩＤタグの上貼り方法ついて、図１乃至図１０を参照して説明する。図１は、ＲＦＩＤシステムの全体構成を模式的に示す図であり、図２は、無効化するタグと上貼りするタグとの関係を示す斜視図である。また、図３乃至図５は、タグの構造及びその切断位置を示す平面図であり、図６は、タグの構造及び切断する深さを説明するための断面図である。また、図７はスペーサを介在させた構造を示す斜視図、図８は非磁性シールを貼付する構造を示す平面図、図９はタグのコイル位置をずらして設置する構造を示す平面図であり、図１０は本発明の効果を説明するための図である。
【００１９】
図１に示すように、ＲＦＩＤシステム１は、リーダ／ライタ用アンテナ３ａを備えたリーダ又はリーダ／ライタ（以下、リーダ／ライタ３として説明する。）と、ラベル型、コイン型、シート型等のタグ２（以下、ラベル型タグとして説明するが、コイル軸が基材面に略直交する構造であればよい。）とからなり、リーダ／ライタ３には、送受信信号を変換するための通信回路部３ｂと送受信信号をデコードするための演算処理部３ｃとを備えている。また、タグ２は、その内部にコイルとコンデンサとにより構成される共振回路４を備え、タグ２側でも信号を生成する場合には、共振回路４にデータの演算、記憶を行うＩＣ５が接続され、内蔵する電源又はリーダ／ライタ３から供給される電源を用いて駆動される。
【００２０】
このＲＦＩＤシステム１におけるリーダ／ライタ３とタグ２とのデータ通信は、所望の通信周波数（例えば、１３．５６ＭＨｚ）により行われるため、タグ２の共振回路４の共振周波数を通信周波数に正確に設定する必要がある。ここで、タグ２が単独状態で使用される場合には、上記所定の周波数となるようにコイルやコンデンサを設計し、かつ、製造後にトリミング用コンデンサをカットするなどの処置により正確に共振周波数を合わせ込むことができるが、図２に示すように、物品９に予め貼付されたタグ（以下、無効化するタグ２ａと呼ぶ。）上に新たなタグ（以下、上貼りするタグ２ｂと呼ぶ。）を貼付する場合には、タグ同士に相互干渉が生じる。
【００２１】
このタグ同士の相互干渉には以下の二つがある。その一つはコイルの鎖交磁束が鎖交するために生じるコイルのインダクタンス（実効値）の増加であり、もう一つはコイル同士が重畳することで生じる寄生容量によるコイルのインダクタンス（実効値）の増加である。従って、タグを上貼りする場合にはこの二つの干渉を抑制する手段を講じる必要がある。
【００２２】
そこで本発明では、無効化するタグ２ａの共振回路４を構成する配線を所定の位置で切断するという方法を用いる。具体的に説明すると、一般的にラベル型タグは、図３に示すように、フレキシブルな絶縁性シートからなる基板６の両面に設けられたＡｌやＣｕ等の導電膜をエッチングにより除去したり、スクリーン印刷により導電性ペーストを塗布することにより、コイル４ａや櫛形電極７、対向電極８、幹部電極１０からなるコンデンサ４ｂを形成し、コイル４ａとコンデンサ４ｂとを接続することによって共振回路４が形成される。そこで、共振回路４の任意の位置、例えば、コイル４ａとコンデンサ４ｂを接続するためのブリッジ部分１１を切断することによりタグを無効化することができる。このブリッジ部分１１は無効化するタグ２ａの隅に位置し、場所を特定しやすく切断作業が容易であるという特徴があり、この部分を切断することにより容易にコイル４ａとコンデンサ４ｂとを分断してタグを無効化することができる。
【００２３】
なお、無効化するタグ２ａは図の構造に限定されず、コイル４ａの巻回数、巻回位置、コンデンサ４ｂの構造、コイル４ａとコンデンサ４ｂの接続構造や位置等は任意である。また、ここでは櫛形電極構造のタグを用いているが、これは、パターン形成段階におけるエッチングやスクリーン印刷の精度等の製造上の誤差により生じるパターン形状の個体差を調整するためであり、このような調整機構を備えていない構造であってもよい。
【００２４】
このようにコイル４ａとコンデンサ４ｂとの接続部分（ブリッジ部分１１）を切断することにより、コイル４ａの鎖交磁束が鎖交するために生じるコイル４ａのインダクタンスの増加を抑制することができるが、この方法では配線が巻回されたコイル４ａはそのまま存在しているため、コイル同士が重畳することで生じる寄生容量によるコイル４ａのインダクタンスの増加を抑制することができない。そこで、図４に示すように、コイル４ａの始端から終端に至る経路の任意の位置でコイル４ａを切断する構成とすることもでき、コイル部分１２で切断することにより、上記寄生容量によるコイルのインダクタンスの増加を抑制することが可能となる。
【００２５】
また、図３及び図４は、コンデンサが別体として設けられた構造のタグであるが、図５に示すように、コンデンサがＩＣ５に内蔵されている構造のタグについても、コイル４ａとＩＣ５とを接続するためのブリッジ部分１１を切断したり、コイル４ａの始端から終端に至る経路の任意の位置でコイル４ａを切断することによりタグを無効化することができる。
【００２６】
なお、図４及び図５では、コイル４ａの５箇所を切断する構成としているが、切断箇所の数及び位置は任意であり、少なくとも一箇所でコイル４ｂのループが切断されていればよいが、コイル４ａを細かく切断すればするほど、相互干渉を抑制する効果を向上させることができる。その場合、ブリッジ部分１１は切断されていても切断されていなくてもよい。
【００２７】
また、ブリッジ部分１１やコイル部分１２を切断する方法は特に限定されないが、図６に示すように、無効化するタグ２ａは、粘着層１５を介してインレー１６、ポリプロピレン等からなる保護シート１７が積層されて形成され、書籍の紙１３の上に無効化するタグ２ａが貼付され、その上が保護膜１４で覆われた構造となっているため、書籍を傷つけることなく配線を確実に切断するためには、インレー１６が切断できるように切断の深さが調整できる切断手段を用いることが好ましく、このような切断手段として刃の突出量を簡単に調整できるカッター等が好適である。
【００２８】
このように無効化するタグ２ａの共振回路４を構成する配線を少なくとも一箇所で切断することによって上貼りするタグ２ｂの共振周波数の変動を抑制することができるが、更に相互干渉の影響を抑制するには、図７に示すように、無効化するタグ２ａと上貼りするタグ２ｂとの間にスペーサ１８を挿入する方法もあり、スペーサ１８を挿入することによりコイル同士の間隔を大きくして寄生容量を低減することができる。なお、このスペーサ１８の厚さ、形状等は任意であるが、比誘電率が低い材料が望ましく、スペーサ１８を厚くすればするほどコイル同士の間隔が大きくなり、寄生容量を低減する効果を大きくすることができる。
【００２９】
また、共振回路４のコイル４ａを分断したり、スペーサ１８を挿入したとしても物理的に寄生容量を完全になくすことはできないため共振周波数が若干低下する。そこで、相互干渉を確実に防止するために、例えば、図８に示すように、上貼りする前に無効化するタグ２ａのコイル４ａ内側に磁束を遮断する材料で構成される任意の大きさの非磁性シール１９を貼ったり、上貼りするタグ２ｂのコイル４ａの内側に任意の大きさの非磁性シール１９等を貼る方法を用いることもでき、非磁性シール１９を介在させることにより、両コイルの鎖交磁束を遮断もしくは抑制することができる。
【００３０】
また、上貼りするタグ２ｂのコイル４ａが無効化するタグ２ａのコイル４ａと完全に重ならないように上貼りするタグ２ｂを貼付位置を設定することにより、鎖交磁束を減少させてインダクタンスの増加を抑制することもできる。例えば、無効化するタグ２ａとコイル４ａの形状の異なるタグを用いて上貼りしたり、同一形状のタグを用いる場合は、上貼りするタグ２ｂを無効化するタグ２ａとずらして貼付したり、コイル４ａがタグ内で非対称に形成されている場合には、図９に示すように、上貼りするタグ２ｂを１８０°反転させて貼付することによってコイル４ａの重なり部分の面積を小さく又は重ならないようにして鎖交磁束を減少させて相互作用を抑制することも可能である。
【００３１】
また、上記いずれの方法によってもインダクタンスの増加（すなわち、共振周波数の低下）が所望の範囲内に収まらない場合には、上貼りするタグ２ｂの共振周波数を予め高くしておくこともできる。
【００３２】
このように本発明は、無効化するタグ２ａの共振回路４を構成する配線を少なくとも一箇所で切断する構造を基本として、更にスペーサ１８を介在させたり、磁束を遮断する非磁性シール１９を少なくとも一方のタグのコイル４ａの内側に貼り付けたり、コイル４ａの重なり部分の面積を小さくすることにより鎖交磁束や寄生容量によるコイル４ａのインダクタンスの増加を抑制し、これにより上貼りするタグ２ｂの共振周波数の低下を抑制することができる。以下、本発明の効果を確認するために第１乃至第４の実施例に示す実験を行った。これらの実験の内容及び結果について説明する。
【００３３】
［実施例１］
まず、無効化するタグ２ａのコイル４ａを切断する方法の効果を確認するために、中型の書籍（２０ｃｍ×１５ｃｍ×２ｃｍ）の裏表紙内側に、共振周波数ｆ０が１３．６８ＭＨｚに設計されたラベル型のタグ（８６ｍｍ×５４ｍｍ）を貼付した後、共振回路４のブリッジ部分１１のみを切断して無効化し、その上に、同型書籍に貼付すると共振周波数が１３．６１ＭＨｚ（Ｑ＝２８）となるように設計された同一種類のラベル型タグをコイル４ａ同士が完全に重なるように上貼りした試料を作成し、上貼り前後の共振周波数ｆ０を測定した。また、比較のために、共振回路４を切断することなく、同型書籍に貼付すると共振周波数が１３．５１ＭＨｚ（Ｑ＝２８）となるように設計された同一種類のラベル型タグをコイル同士が完全に重なるように上貼りした試料を作成し、同様に上貼り前後の共振周波数ｆ０を測定した。その結果を表１に示す。
【００３４】
【表１】
2004348675.tif 000003
【００３５】
表１より、共振回路４のブリッジ部分１１を切断することにより、コイル４ａの鎖交磁束が鎖交するために生じるコイル４ａのインダクタンスの増加が抑制され、その結果、共振周波数ｆ０の変化量（低下量）が小さくなることが確認できた。
【００３６】
［実施例２］
次に、中型の３書籍（２０ｃｍ×１５ｃｍ×２ｃｍ）の裏表紙内側に、各々共振周波数ｆｏが１３．５４ＭＨｚに設計されたラベル型タグ（８６ｍｍ×５４ｍｍ）を貼付した後、ブリッジ部分１１とそれ以外のコイル部分１２を４箇所、１５箇所、６４箇所切断して無効化し、その上に、同型書籍に貼付すると共振周波数ｆ０が１３．５５ＭＨｚ（Ｑ＝３０）、１３．６１ＭＨｚ（Ｑ＝２４）、１３．５９ＭＨｚ（Ｑ＝２５）となるように設計された同一種類のラベル型タグをコイル同士が完全に重なるように上貼りした試料を作成し、上貼り前後の共振周波数ｆ０を測定した。その結果を表２に示す。
【００３７】
【表２】
2004348675.tif 000004
【００３８】
表２より、ブリッジ部分１１のみならず、コイル部分１２も切断することにより、第１の実施例に比べて共振周波数ｆ０の変化量が小さくなっており、また、切断箇所数が増加するに従って共振周波数ｆ０の変化量が徐々に小さくなっていることが分かる。これは、鎖交磁束によるインダクタンスの増加の抑制に加えて、コイル同士が重畳することで生じる寄生容量によるコイル４ａのインダクタンスの増加も抑制されるためと考えられる。なお、各々の試料におけるＱ値の低下量は各々３、−１、０であり、Ｑ値の変化量も徐々に小さくなっており、通信距離の低下も抑制されていることが確認できた。
【００３９】
［実施例３］
次に、中型の３書籍（２０ｃｍ×１５ｃｍ×２ｃｍ）の裏表紙内側に、各々共振周波数ｆ０が１３．６７ＭＨｚに設計されたラベル型タグ（８６ｍｍ×５４ｍｍ）を貼付した後、それぞれブリッジ部分１１のみを切断して無効化し、その上に、厚みｔが異なる（ｔ＝０．１ｍｍ、０．３ｍｍ、０．７ｍｍ）のスペーサ１８を貼付してから、同型書籍に貼付すると共振周波数ｆ０が各々１３．６３ＭＨｚ（Ｑ＝２８）、１３．６４ＭＨｚ（Ｑ＝２７）、１３．６２ＭＨｚ（Ｑ＝２７）となるように設計された同一種類のラベル型タグをコイル同士が完全に重なるように上貼りした試料を作成し、上貼り前後の共振周波数ｆ０を測定した。その結果を表３及び図１０に示す。
【００４０】
【表３】
2004348675.tif 000005
【００４１】
表３及び図１０より、スペーサ１８の厚みの増加に伴って共振周波数ｆ０の変化量が小さくなっていることが分かる。これは、タグの間隔が大きくなるに従ってコイル４ａ同士の寄生容量が低下するためと考えられる。
【００４２】
［実施例４］
次に、中型の書籍（２０ｃｍ×１５ｃｍ×２ｃｍ）の裏表紙内側に、共振周波数ｆ０が１３．５６ＭＨｚに設計されたラベル型タグ（８６ｍｍ×５４ｍｍ）を貼付した後、共振回路４のブリッジ部分１１のみを切断して無効化し、同型書籍に貼付すると共振周波数ｆ０が１３．７４ＭＨｚ（Ｑ＝２５）となるように設計された同一種類のラベル型タグを１８０°反転させてコイル同士が完全に重ならない（コイル内側に１．３ｃｍ２せり出す）ように上貼りした試料を作成し、上貼り前後の共振周波数ｆ０を測定した。その結果を表４に示す。
【００４３】
【表４】
2004348675.tif 000006
【００４４】
表４より、コイル同士が完全に重ならないようにタグを上貼りすることにより、単にブリッジ部分１１を切断した試料（第１の実施例）に比べて共振周波数ｆ０の変化量は小さくなっていることが分かる。これは、コイルの鎖交磁束が減少するためと考えられる。また、Ｑ値の低下量は０であり、このような構成により直貼りした場合と同程度の通信距離が確保できることが確認できた。
【００４５】
［実施例５］
次に、裏表紙内側にラベル型タグ（８６ｍｍ×５４ｍｍ）が貼付された６冊の書籍（Ｂ５版、厚さ１ｃｍ）を製本（合本）する際に、各書籍に貼付したラベル型タグのブリッジ部分１１及びコイル部分１２の４箇所の計５箇所を切断して無効化し、その上に、同型書籍に貼付すると共振周波数ｆ０が１３．８１ＭＨｚ（Ｑ＝２６）になるように設計された同一種類のラベル型タグをコイル同士が完全に重なるように上貼りした試料を作成し、端部に位置する書籍に貼付したラベル型タグの上貼り前後の共振周波数ｆ０を測定した。また、比較のためにラベル型タグの共振回路４を切断しない６冊の書籍についても同様に端部に位置する書籍に貼付したラベル型タグの上貼り前後の共振周波数の変化を調べた。その結果を表５に示す。
【００４６】
【表５】
2004348675.tif 000007
【００４７】
表５より、ブリッジ部分１１及びコイル部分１２を４箇所、計５箇所切断した書籍に貼付したタグの共振周波数ｆ０の変化量は小さく、ラベル型タグが貼付された複数の書籍を製本（合本）する場合でも同様の効果が得られることを確認した。また、５箇所切断した書籍に貼付したタグのＱ値の低下量は１であるのに対し、切断していない書籍に貼付したタグでは、Ｑ値の低下量は３であり、共振回路４を切断することにより通信距離の低下も抑制されることを確認した。これにより、例えば、月刊誌をまとめて１冊に製本する際に各月分のラベルを剥がす必要がなくなり、図書館システムにおけるタグの取付作業を支援することができる。
【００４８】
なお、上記各実施例では、タグを設置する物品として、図書館等で貸し出される書籍を例にして説明したが、本発明は上記実施例に限定されるものではなく、任意の物品に適用することができ、特に、予め貼付されたタグを容易に剥がすことができない物品に適用することができる。
【００４９】
【発明の効果】
以上説明したように、本発明のＲＦＩＤシステム及びタグの上貼り方法によれば、以前に貼付されたタグに新たなタグを上貼りする場合であっても上貼りするタグの共振周波数のシフトを抑制することができる。
【００５０】
その理由は、無効化するタグの共振回路を構成する配線の少なくとも１箇所を切断することにより、コイルの鎖交磁束が鎖交するために生じるコイルのインダクタンスの増加やコイル同士が重畳することで生じる寄生容量に起因するコイルのインダクタンスの増加が抑制され、タグ同士の相互干渉を抑制することができるからである。また、無効化するタグと上貼りするタグの間にスペーサを挿入したり、無効化するタグ又は上貼りするタグの少なくとも一方のコイルの内側に磁束を遮断する非磁性シールを貼り付けたり、無効化するタグと上貼りするタグのコイル同士が完全に重なることがないように貼り付け位置を調整することにより、更にタグ同士の相互干渉を抑制することができるからである。
【図面の簡単な説明】
【図１】ＲＦＩＤシステムの構成を模式的に示す図である。
【図２】無効化するタグと上貼りするタグの関係を示す斜視図である。
【図３】タグの構造及びその切断位置を示す平面図である。
【図４】タグの構造及びその切断位置を示す平面図である。
【図５】コンデンサがＩＣに内蔵されるタグの構造及びその切断位置を示す平面図である。
【図６】タグの構造及び切断する深さを説明するための断面図である。
【図７】無効化するタグと上貼りするタグとの間にスペーサを挿入する構造を示す図である。
【図８】無効化するタグ又は上貼りするタグのコイル内側に非磁性シールを貼付する構造を示す図である。
【図９】無効化するタグと上貼りするタグのコイル位置をずらして配置する構造を示す図である。
【図１０】無効化するタグと上貼りするタグとの間に挿入するスペーサの厚さと共振周波数の変化量との相関を示す図である。
【符号の説明】
１  ＲＦＩＤシステム
２  タグ
２ａ  無効化するタグ
２ｂ  上貼りするタグ
３  リーダ／ライタ
３ａ  リーダ／ライタ用アンテナ
３ｂ  通信回路部
３ｃ  演算処理部
４  共振回路
４ａ  コイル
４ｂ  コンデンサ
５  ＩＣ
６  基板
７  櫛形電極
８  対向電極
９  物品（書籍）
１０  幹部電極
１１  切断位置（ブリッジ部分）
１２  切断位置（コイル部分）
１３  書籍の紙
１４  保護膜
１５  粘着層
１６  インレー
１７  保護シート
１８  スペーサ
１９  非磁性シール
【図１】
2004348675.tif 000008
【図２】
2004348675.tif 000009
【図３】
2004348675.tif 000010
【図４】
2004348675.tif 000011
【図５】
2004348675.tif 000012
【図６】
2004348675.tif 000013
【図７】
2004348675.tif 000014
【図８】
2004348675.tif 000015
【図９】
2004348675.tif 000016
【図１０】
2004348675.tif 000017